(57)【要約】      （修正有）【課題】上方に凸な足底に沿ったアーチを１本のベルトで保持することで、体重がかかると低くなるアーチを支持してスムーズな体重移動と推進力の伝達を得ると共に、パランスを保持して正確で疲れ難い歩行を実現する靴を提供する。【解決手段】靴本体１と、靴本体の一方の甲片部１２に基端２１が固着され、先端部内面に係合部２２を備えた所定幅長さを有する引き上げベルト２と、足の内側の縦足弓に対応して配備され、下辺部３１ａが靴本体のソール１１上縁に固着されると共に、上辺部に折り返し用ベルト通し部３２を備える内側縦アーチ支持手段３と、足の外側の縦足弓に対応して配備され、下辺部が靴本体のソール１１上縁に固着されると共に、上辺部に折り返し用ベルト通し部４２を備える外側縦アーチ支持手段４と、外側縦アーチ支持手段４の下辺部に配備され引き上げベルト２の係合部に係脱する係合受け部とからなることを特徴とする靴。【選択図】図１
2016036636.tif 000002
【特許請求の範囲】
【請求項１】
靴本体と、靴本体の一方の甲片部に基端が固着され、先端部内面に係合部を備えた所定幅長さを有する引き上げベルトと、足の内側の縦足弓に対応して配備され，下辺部が靴本体のソール上縁に固着されると共に、上辺部に折り返し用ベルト通し部を備える内側縦アーチ支持手段と、足の外側の縦足弓に対応して配備され，下辺部が靴本体のソール上縁に固着されると共に、上辺部に折り返し用ベルト通し部を備える外側縦アーチ支持手段と、外側縦アーチ支持手段の下辺部に配備され引き上げベルトの係合部に係脱する係合受け部とからなることを特徴とする靴。
【請求項２】
前記外側縦アーチ支持手段は、靴本体のソールの上辺に下辺部が縫着された裾広がりの台形状のサポート布と、サポート布の上部に配備され引き上げベルトを挿通し折り返させる折り返し用ベルト通し部とから成ることを特徴とする請求項１記載の靴。
【請求項３】
前記内側縦アーチ支持手段は、靴本体のソールの上辺に下辺部が縫着された裾広がりの台形状のサポート布と、サポート布の上部に配備され折り返した引き上げベルトを挿通し係合受け部方向へ折り返させる折り返し用ベルト通し部とから成ることを特徴とする請求項１記載の靴。
【発明の詳細な説明】
【技術分野】
【０００１】
この発明は、靴に関する。
【背景技術】
【０００２】
図６は、従来の靴を示す平面図である。この靴は、靴本体１のトゥ１４部分に対応する前側ベルト６１と、タン１５部分に対応する後側ベルト６２とを備えている。前側ベルト６１は、基端部６１ａを内側の甲片部１２に縫着する一方、ベルト脱着部６１ｂを外側の甲片部１２ａに縫着している。更に、後側ベルト６２は基端部６２ａを外側の甲片部１２ａに縫着する一方、ベルト折り返し用口金具６２ｂを内側の甲片部１２に縫着して構成している。
【０００３】
この靴を履く際は、足入れ部１３から足を入れた後、前側ベルト６１を対応する外側の甲片部１２ａ側へ引っ張り、先端部内面の面ファスナー６１ｃをベルト脱着部６１ｂに係着する。更に、後側ベルト６２の先端部をベルト折り返し用口金具６２ｂに挿通し折り返して引っ張り、先端部内面の面ファスナー６２ｃをベルト脱着部６２ｄに係着する。
【０００４】
この前後２本のベルトの緊締によって、靴本体のタン部分及びトゥ部分の領域において、足の甲の上表面が靴と密着する結果、隙間、緩み、ズレが少なくなり、靴の中で足が動くことに起因する、例えば靴ズレ等を解消し得る。
【特許文献１】実開平６−８６５０１号公報
【発明の開示】
【発明が解決しようとする課題】
【０００５】
従来の靴では、靴本体のトゥと一体に形成されたタンの部分、つまり足の甲の
部分を覆うと共に、上部を左右に切開分離させた左右一対の甲片部のみを、ベル
トでそれぞれ内方向へ引き寄せ、且つ甲の上部を押さえ着ける押圧力を作用させ
る構成である。
【０００６】
このため、全身の重みを支える足の縦足弓及び横足弓と称する上方に凸なアー
チを支持する機能を有していない。つまり、足の土ふまずを支え、歩行時の適正
な推進力や立ち姿勢におけるバランス保持力がなく、路面状況によってツマズキ
、蹌踉ける、疲労による足の痛み等の歩行の不安を解消できない不利がある。
【０００７】
この発明は、以上のような課題を解消させ、上方に凸な足底に沿ったアーチを１本のベルトで保持することで、体重がかかると低くなるアーチを支持してスムーズな体重移動と、ロスのない推進力の伝達を得ると共に、バランスを保持して安定且つ正確で疲れ難い歩行を実現し得る靴を提供することを目的とする。
【課題を解決するための手段】
【０００８】
この目的を達成させるために、この発明の靴では、次のような構成としている。
靴は、靴本体と、靴本体の一方の甲片部に基端が固着され、先端部内面に係合部を備えた所定幅長さを有する引き上げベルトと、足の内側の縦足弓に対応して配備され下辺部が靴本体のソール上縁に固着されると共に、上辺部に折り返し用ベルト通し部を備える内側縦アーチ支持手段と、足の外側の縦足弓に対応して配備され下辺部が靴本体のソール上縁に固着されると共に、上辺部に折り返し用ベルト通し部を備える外側縦アーチ支持手段と、外側縦アーチ支持手段の下辺部に配備され引き上げベルトの係合部に係脱する係合受け部とから成ることを特徴としている。
【発明の効果】
【０００９】
このような構成を有する靴では、１本の引き上げベルトを靴本体の両側下部に、それぞれ設けた折り返し用通し部に挿通し且つ折り返して引っ張り足の左右側の縦足弓を引き上げることとしたから、体重がかかると低くなる縦足弓を正常な湾曲状態に支持することができる。
【００１０】
更に、足底縁に沿ったアーチ（縦足弓）と足底を幅方向に走るアーチ（横足弓）を正常な湾曲状態に保持できるから、平地はもとより、凹凸な地形や傾斜面等の不整な路面状況に応じてアーチが適正に変化対応し得る。
【００１１】
したがって、立ち姿勢におけるバランスが保持されると共に、踵にかかる体重を推進力にかえ、前方にロスなく伝えることができる許かりでなく、スムーズな体重移動ができると共に、強い蹴りだしが得られ、安定且つ正確で疲れ難い歩行を実現し得る等、発明目的を達成した優れた効果を有する。
【発明を実施するための最良の形態】
【００１２】
以下、図面に基づき本発明に係る靴の具体的な実施の形態を説明する。
図１は、実施の形態の靴を示す斜視図である。
この靴は、靴本体１と、靴本体１に配備された１本の引き上げベルト２と、靴本体１の左右両側の下部に配備された内側縦アーチ支持手段３と外側縦アーチ支持手段４とから成る。
【００１３】
靴本体１は、ソール１１と、ソール１１の上方に接着固定されたアッパー部（上周面）とからなり、アッパー部は、ソール１１に接着固定される腰皮部（下周部分）１６と、足の指部分を覆うトゥ１４と、トゥ１４と一体に形成されたタン１５と、足の甲の部分を覆うと共に上部を左右に切開した左右の甲片部１２、１２ａと、タン１５の後方に開口された足入れ部１３とから成る。甲片部１２、１２ａの下辺は、腰掛け部１６の上辺に連続形成してある。
【００１４】
上記引き上げベルト２は、非伸縮性材料、例えば布帛或いは合成皮革材などで所定幅長さの平帯び状に形成される。この引き上げベルト２の基端２１は、内側甲片部１２の上辺に縫着され、先端部２２内面に係合部（面ファスナー）２２が縫着されている。
【００１５】
前記内側縦アーチ支持手段３は、例えば非伸縮性材料の合成皮革材や布帛など形成される裾広がりの略台形状のサポート布３１と、折り返し用ベルト通し部（角形リング）３２とから構成される。この内側縦アーチ支持手段３は、後述する足の内側の縦足弓Ａに対応して配備される。
【００１６】
図５は、足の足底弓、つまり土ふまずと体重のかかる方向を矢印で示している。内側の縦足弓Ａは、図５で示すように足根骨（踵骨５１ｂ、距骨５１ａ、舟状骨）５１と、先端が母指骨５３に続く第１中足骨５２からなる。この内側の縦足弓Ａは、内側の支持性に関与する後脛骨筋などの内側縦アーチ構成筋をサポートする。
【００１７】
更に、外側の縦足弓Ｂは、足根骨（踵骨、立方骨）５１と、先端が子指骨に続く第５中足骨とからなる（図示せず）。この外側の縦足弓Ｂは、外側の支持性に関与する長・短腓骨筋などの外側縦アーチ構成筋をサポートする。
【００１８】
また、横足弓は、上記第１中足骨５２と第５中足骨とを結ぶ、つまり足底の幅方向へ走る横アーチをいう。この３つの上方に凸な足底に沿ったアーチによって、全身の重みが支えられ且つ足のバランスとロスのない推進力が実現される。
【００１９】
図１で示すように、内側の縦アーチ支持手段３のサポート布３１は、上記内側の縦足弓Ａに対応し、基端（下辺部）３１ａをソール１１の上辺，つまり腰皮部１６の下辺に固着している。サポート布３１の上部は、腰皮部１６の上部に届く高さで、先端にベルト折り返し用通し部３２を備えている。
【００２０】
この内側縦アーチ支持手段３が、内側の縦足弓Ａを引き上げることで、歩行の際の内側方向への安定性と、内側の縦足弓Ａ構成筋をサポートし、推進方向への移動の容易性を企図する。
【００２１】
図２で示すように、前記外側縦アーチ支持手段４は、裾広がりの略台形状のサポート布４１と折り返し用ベルト通し部４２と、ベルト係合受け部４３とから構成される。サポート布４１は外側の縦足弓に対応し、基端（下辺部）４１ａをソール１１の上辺，つまり腰皮部１６の下辺に固着している。サポート布４１の上部は、腰皮部１６の上部に届く高さで、先端にベルト折り返し用通し部４２を備えている。更に、サポート布４１の下部表面には係合受け部（面ファスナー）４３が設けてある。
【００２２】
この外側縦アーチ支持手段４が、外側の縦足弓Ｂを引き上げることで、歩行の際の外側方向への安定性と、外側縦足弓構成筋をサポートし、推進方向への移動の容易性を企図する。
【００２３】
このような構成を有する靴は、足を足入れ部１３に入れ、靴を履いた状態で、図１の矢印で示すように、引き上げベルト２を対向する折り返し用ベルト通し部４２に挿通し、折り返して引っ張る。
【００２４】
これにより、図２で示すように、サポート部４１に対し上方へ且つ内向き方向（足の甲中央側）への引っ張り力が作用し、外側の縦足弓が引き上げられる。また、引き上げベルト２が足の甲の部分（タン）に重合し圧接することで、足と靴の動きが一体化しロスのない推進力が得られる。
【００２５】
更に、この外側の縦足弓を引き挙げる状態から、引き上げベルト２を折り返しベルト通し部（角形リンク）３２に挿通して折り返して引っ張る。これにより、図３の矢印で示すように、サポート布３１に対し上方へ且つ内向き方向（足の甲中央側）へ引っ張り力が作用し、内側の縦足弓Ａが引き揚げられる。
【００２６】
この後、引き上げベルト２の先端を図４で示すようにサポート布４１側へ引っ張り、面フアスナー２２を面ファスナー４３に止着する。かくして、１本の引き上げベルト２で内側及び外側のアーチ（縦足弓）引き上げる結果、同時に横アーチ（横足弓）も引き上げられる。これによって、安全且つ安定な歩行を担保する上方に凸なアーチ形態が保持される。
【図面の簡単な説明】
【００２７】
【図１】実施の形態の靴を示す斜視図である。
【図２】外側縦アーチ支持手段を示す斜視図である。
【図３】内側の縦足弓を引き上げる状態を示す斜視図である。
【図４】引き上げベルトとサポート布の係止状態を示す斜視図である。
【図５】足の縦足弓と横足弓を示す説明断面図である。
【図６】従来の靴を示す斜視図である。
【符号の説明】
【００２８】
１      靴本体  
２      引き上げベルト
３      内側縦アーチ支持手段
４      外側縦アーチ支持手段
１１    ソール
１２    甲片部    
１２ａ  甲片部
１３    足入れ部
１４    トウ
１５    タン
１６    腰皮部
２２    係合部
３１    サポート布
３２    折り返し用通し部  
４１    サポート布
４２    折り返し用通し部
４３    係合受け部
５１    足根骨
５１ａ  距骨  
５１ｂ  踵骨
５２    中足骨
５３    母指骨  
Ａ      内側の縦足弓  
【図１】
2016036636.tif 000003
【図２】
2016036636.tif 000004
【図３】
2016036636.tif 000005
【図４】
2016036636.tif 000006
【図５】
2016036636.tif 000007
【図６】
2016036636.tif 000008